【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
流体の物理量を計測する物理量計測装置（２０）であって、
前記流体が流入する通過入口（３３）と、前記通過入口から流入した前記流体が流出する通過出口（３４）とを有する通過流路（３１）と、
前記通過流路から分岐し、前記流体の物理量を計測するための計測流路（３２）であって、前記通過入口と前記通過出口との間に設けられ前記通過流路から前記流体が流入する計測入口（３５）と、前記計測入口から流入した前記流体が流出する計測出口（３６）とを有する計測流路（３２）と、
前記計測流路に設けられ、前記流体の物理量を検出する物理量センサ（２２）と、
前記通過流路及び前記計測流路を形成しているハウジング（２１）と、
を備え、
前記ハウジングの内面は、
前記通過流路のうち前記通過入口と前記計測入口とにかけ渡された入口通過路（３３１）を形成し、前記通過入口と前記通過出口とが並んだ方向（Ｚ）において前記通過入口と前記計測入口とにかけ渡された入口天井面（３４２）と、
前記入口通過路を形成し、前記入口通過路を介して前記入口天井面に対向する入口床面（３４６）と、
前記通過流路のうち前記通過出口と前記計測入口とにかけ渡された出口通過路（３３２）を形成し、前記並んだ方向において前記通過出口と前記計測入口とにかけ渡された出口天井面（３４３）と、
を有しており、
前記入口天井面は、
前記入口床面との離間距離（Ｈ２１）が前記通過入口から前記通過出口に向けて徐々に小さくなるように前記入口床面に対して傾斜し、前記通過入口から前記計測入口に向けて延びた天井傾斜面（３４２，３４２ａ）を有しており、
前記入口通過路において下流端部の断面積は前記通過入口の断面積よりも小さくなっており、
前記天井傾斜面は、前記並んだ方向において前記出口天井面よりも長くなっている、物理量計測装置。
【請求項２】
流体の物理量を計測する物理量計測装置（２０）であって、
前記流体が流入する通過入口（３３）と、前記通過入口から流入した前記流体が流出する通過出口（３４）とを有する通過流路（３１）と、
前記通過流路から分岐し、前記流体の物理量を計測するための計測流路（３２）であって、前記通過入口と前記通過出口との間に設けられ前記通過流路から前記流体が流入する計測入口（３５）と、前記計測入口から流入した前記流体が流出する計測出口（３６）とを有する計測流路（３２）と、
前記計測流路に設けられ、前記流体の物理量を検出する物理量センサ（２２）と、
前記通過流路及び前記計測流路を形成しているハウジング（２１）と、
を備え、
前記ハウジングの内面は、
前記通過流路のうち前記通過入口と前記計測入口とにかけ渡された入口通過路（３３１）を形成し、前記通過入口と前記通過出口とが並んだ方向（Ｚ）において前記通過入口と前記計測入口とにかけ渡された入口天井面（３４２）と、
前記入口通過路を形成し、前記入口通過路を介して前記入口天井面に対向する入口床面（３４６）と、
前記入口通過路を形成し、前記入口天井面及び前記入口床面を介して互いに対向する一対の壁面（６３１，６３２）と、
を有しており、
前記入口天井面は、
前記入口床面との離間距離（Ｈ２１）が前記通過入口から前記通過出口に向けて徐々に小さくなるように前記入口床面に対して傾斜し、前記通過入口から前記計測入口に向けて延びた天井傾斜面（３４２，３４２ａ）を有しており、
前記入口通過路において下流端部の断面積が前記通過入口の断面積よりも小さくなっており、
前記入口天井面、前記入口床面及び一対の前記壁面は、前記ハウジングにおいて前記通過入口が設けられたハウジング上流面（２１ｃ）から前記通過出口に向けて延びている、物理量計測装置。
【請求項３】
前記入口床面に対する前記天井傾斜面の傾斜角度（θ２１）は１０度以上である、請求項１又は２に記載の物理量計測装置。
【請求項４】
前記天井傾斜面は、前記通過入口側を向くように前記入口床面に対して傾斜している、請求項１〜３のいずれか１つに記載の物理量計測装置。
【請求項５】
前記天井傾斜面は、前記流体のうち前記通過入口に主に流れ込む主流が進む方向である主流方向（Ｚ）に対して、前記通過入口側を向くように傾斜している、請求項１〜４のいずれか１つに記載の物理量計測装置。
【請求項６】
前記主流方向に対する前記天井傾斜面の傾斜角度（θ２２）は１０度以上である、請求項５に記載の物理量計測装置。
【請求項７】
前記ハウジングは、
前記ハウジングが取り付けられる取り付け対象（１４）に対する前記ハウジングの取り付け角度を設定する角度設定面（２７ａ）を有しており、
前記主流方向は、前記角度設定面が延びている方向である、請求項５又は６に記載の物理量計測装置。
【請求項８】
前記入口通過路の断面積（Ｓ２１）は、前記通過入口から前記計測入口に向けて徐々に小さくなっている、請求項１〜７のいずれか１つに記載の物理量計測装置。
【請求項９】
前記入口通過路の中心線である入口通過線（ＣＬ２４）に対する前記計測入口での前記計測流路の中心線（ＣＬ２３）の傾斜角度（θ２５）が９０度以上である、請求項１〜８のいずれか１つに記載の物理量計測装置。
【請求項１０】
前記通過流路に対する前記計測流路の分岐角度（θ２６）が６０度以下である、請求項１〜９のいずれか１つに記載の物理量計測装置。
【手続補正２】
【補正対象書類名】明細書
【補正対象項目名】０００７
【補正方法】変更
【補正の内容】
【０００７】
上記目的を達成するため、開示された態様は、
流体の物理量を計測する物理量計測装置（２０）であって、
流体が流入する通過入口（３３）と、通過入口から流入した流体が流出する通過出口（３４）とを有する通過流路（３１）と、
通過流路から分岐し、流体の物理量を計測するための計測流路（３２）であって、通過入口と通過出口との間に設けられ通過流路から流体が流入する計測入口（３５）と、計測入口から流入した流体が流出する計測出口（３６）とを有する計測流路（３２）と、
計測流路に設けられ、流体の物理量を検出する物理量センサ（２２）と、
通過流路及び計測流路を形成しているハウジング（２１）と、
を備え、
ハウジングの内面は、
通過流路のうち通過入口と計測入口とにかけ渡された入口通過路（３３１）を形成し、通過入口と通過出口とが並んだ方向（Ｚ）において通過入口と計測入口とにかけ渡された入口天井面（３４２）と、
入口通過路を形成し、入口通過路を介して入口天井面に対向する入口床面（３４６）と、
通過流路のうち通過出口と計測入口とにかけ渡された出口通過路（３３２）を形成し、並んだ方向において通過出口と計測入口とにかけ渡された出口天井面（３４３）と、
を有しており、
入口天井面は、
入口床面との離間距離（Ｈ２１）が通過入口から通過出口に向けて徐々に小さくなるように入口床面に対して傾斜し、通過入口から計測入口に向けて延びた天井傾斜面（３４２，３４２ａ）を有しており、
入口通過路において下流端部の断面積は通過入口の断面積よりも小さくなっており、
天井傾斜面は、並んだ方向において出口天井面よりも長くなっている、物理量計測装置である。
開示された態様は、
流体の物理量を計測する物理量計測装置（２０）であって、
流体が流入する通過入口（３３）と、通過入口から流入した流体が流出する通過出口（３４）とを有する通過流路（３１）と、
通過流路から分岐し、流体の物理量を計測するための計測流路（３２）であって、通過入口と通過出口との間に設けられ通過流路から流体が流入する計測入口（３５）と、計測入口から流入した流体が流出する計測出口（３６）とを有する計測流路（３２）と、
計測流路に設けられ、流体の物理量を検出する物理量センサ（２２）と、
通過流路及び計測流路を形成しているハウジング（２１）と、
を備え、
ハウジングの内面は、
通過流路のうち通過入口と計測入口とにかけ渡された入口通過路（３３１）を形成し、通過入口と通過出口とが並んだ方向（Ｚ）において通過入口と計測入口とにかけ渡された入口天井面（３４２）と、
入口通過路を形成し、入口通過路を介して入口天井面に対向する入口床面（３４６）と、
入口通過路を形成し、入口天井面及び入口床面を介して互いに対向する一対の壁面（６３１，６３２）と、
を有しており、
入口天井面は、
入口床面との離間距離（Ｈ２１）が通過入口から通過出口に向けて徐々に小さくなるように入口床面に対して傾斜し、通過入口から計測入口に向けて延びた天井傾斜面（３４２，３４２ａ）を有しており、
入口通過路において下流端部の断面積が通過入口の断面積よりも小さくなっており、
入口天井面、入口床面及び一対の壁面は、ハウジングにおいて通過入口が設けられたハウジング上流面（２１ｃ）から通過出口に向けて延びている、物理量計測装置である。